(57)【要約】      （修正有）【課題】リセプタクルコネクタに対する差込接続時に、それに備えられた導電コンタクトがリセプタクルコネクタ側の導電コンタクトを押し潰す、もしくは座屈させる事態を回避できるコネクタ装置を提供する。【解決手段】リセプタクルコネクタ３１に設けられた嵌合凹部３４に挿入される嵌合凸部１４を形成する絶縁ハウジング１２と、嵌合凸部１４が嵌合凹部３４に挿入されるとき、嵌合凹部３４に配されたリセプタクルコネクタ側の導電コンタクトに接触接続される導電コンタクトと、絶縁ハウジング１２の外面部を部分的に覆う金属製カバー１３とを備え、金属製カバー１３が、嵌合凸部１４が嵌合凹部３４に挿入される際に、リセプタクルコネクタ３１の嵌合凹部形成部に当接して、嵌合凹部３４に対する嵌合凸部１４の挿入案内を行う案内部１３ｂを有する。【選択図】図９
2010160976.tif 000002
【特許請求の範囲】
【請求項１】
リセプタクルコネクタに設けられた嵌合凹部に挿入されるべく、第１の方向に伸びる嵌合凸部を形成する絶縁ハウジングと、
上記嵌合凸部における側壁面部に配される接触部を有して上記第１の方向に配列配置され、上記接触部が上記リセプタクルコネクタに配されたリセプタクル側導電コンタクトに接触するものとされる複数の導電コンタクトと、
上記絶縁ハウジングの外面部を部分的に覆う金属製カバーと、
を備えて成り、
上記金属製カバーが、上記嵌合凸部が上記嵌合凹部に挿入される際に、上記リセプタクルコネクタの嵌合凹部形成部に、上記第１の方向に直交する第２の方向に当接して、上記嵌合凹部に対する上記嵌合凸部の挿入案内を行う案内部を有することを特徴とするコネクタ装置。
【請求項２】
上記金属製カバーが、上記第１の方向における両端部の夫々の近傍部位を含む複数の部位に配された複数の上記案内部を有することを特徴とする請求項１記載のコネクタ装置。
【請求項３】
上記金属製カバーが、上記第１の方向における両端部の夫々の近傍部位及び上記第１の方向における中央部位に配された複数の上記案内部を有することを特徴とする請求項１記載のコネクタ装置。
【請求項４】
上記複数の導電コンタクトが、上記嵌合凸部における上記第１の方向に直交する第２の方向において相互対向する対向側壁面部の一方に配される第１の接触部を有して上記第１の方向に配列配置された複数の第１の導電コンタクトと、上記対向側壁部の他方に配される第２の接触部を有して上記第１の方向に配列配置された複数の第２の導電コンタクトとを含み、上記絶縁ハウジングと一体化されて配される導電性シェルが備えられ、該導電性シェルが、上記複数の第１の導電コンタクトにおける上記第１の接触部の配列と上記複数の第２の導電コンタクトにおける上記第２の接触部の配列との間に上記第１の方向に伸びて配される中間グラウンド部と、該中間グラウンド部に連結されたグラウンド接続部とが、一体形成されて成ることを特徴とする請求項１記載のコネクタ装置。
【請求項５】
上記導電性シェルが、上記絶縁ハウジングにインサート成形により埋め込まれる部分を有して該絶縁ハウジングと一体化されることを特徴とする請求項４記載のコネクタ装置。
【請求項６】
上記導電性シェルにおけるグラウンド接続部が、上記第１及び第２の導電コンタクトの夫々に信号導体が接続される複数の同軸ケーブルの各々のグラウンド導体に接続されることを特徴とする請求項４記載のコネクタ装置。
【請求項７】
上記複数の第１の導電コンタクトのうちの配列端部に位置するもの以外のものが、上記複数の第２の導電コンタクトのうちの相互隣接する２個の間の部位に対向する部位に配置されるとともに、上記導電性シェルが、上記中間グラウンド部に沿って配列配置されて設けられて上記中間グラウンド部と上記グラウンド接続部とを連結する複数の連結接続部により形成され、該複数の連結接続部の夫々が、上記複数の第１もしくは第２の導電コンタクトのうちの相互隣接する２個の間に配されることを特徴とする請求項４記載のコネクタ装置。
【発明の詳細な説明】
【技術分野】
【０００１】
本願の特許請求の範囲に記載された発明は、複数のケーブルやフレキシブル印刷配線基板（ＦＰＣ）等が連結されて、ソリッド配線基板等に設置されたリセプタクルコネクタに差込接続されるプラグコネクタとして用いられるコネクタ装置に関する。
【背景技術】
【０００２】
複数の比較的細いケーブルや比較的小型なフレキシブル印刷配線基板を、各種の電気部品が取り付けられるソリッド配線基板に接続するにあたっては、複数のケーブルあるいはフレキシブル印刷配線基板が連結されるプラグコネクタと、ソリッド配線基板との電気的接続がなされ、プラグコネクタが差込接続されるリセプタクルコネクタと、が用いられることが多い。
【０００３】
このような場合、プラグコネクタは、その全体もしくはそれに設けられた嵌合凸部がリセプタクルコネクタとの嵌合状態におかれる絶縁ハウジングを備え、例えば、当該プラグコネクタが複数のケーブルが連結されるものであるときには、各々が複数のケーブルの夫々における信号導体（内部導体）との電気的接続がなされる複数の導電コンタクトと、複数のケーブルの夫々におけるグラウンド導体（外部導体）との電気的接続がなされるグラウンド部とが、絶縁ハウジンングに配され、さらに、絶縁ハウジングの外面部を部分的に覆う導電性シェルを備えて構成される。複数の導電コンタクトは、絶縁ハウジングにおける、導電性シェルにより覆われない部分とされる側面部形成部において、配列配置されて外部に露出する状態におかれる。
【０００４】
また、ソリッド配線基板との電気的接続がなされるリセプタクルコネクタは、プラグコネクタが備える絶縁ハウジングの全体もしくはそれに設けられた嵌合凸部が挿入される嵌合凹部が設けられて、ソリッド配線基板上に配されるリセプタクル側絶縁ハウジングを備え、リセプタクル側絶縁ハウジングには、各々の一端部が端子部とされてソリッド印刷配線基板に接続される複数のリセプタクル側導電コンタクトと、一部分がソリッド印刷配線基板に接続されるリセプタクル側グラウンド部とが配される。複数のリセプタクル側導電コンタクトは、リセプタクル側絶縁ハウジングにおける嵌合凹部形成部において、配列配置されて嵌合凹部内に露出する状態におかれる。
【０００５】
そして、例えば、複数のケーブルが連結されたプラグコネクタが、その絶縁ハウジングの全体もしくはそれに設けられた嵌合凸部が、リセプタクルコネクタが備えるリセプタクル側絶縁ハウジングに設けられた嵌合凹部に挿入された状態におかれるとき、リセプタクル側絶縁ハウジングに設けられた嵌合凹部内において、プラグコネクタの複数の導電コンタクトがリセプタクルコネクタの複数のリセプタクル側導電コンタクトに夫々接触接続されるとともに、プラグコネクタにおけるグラウンド部がリセプタクル側グラウンド部に接触接続される。それにより、プラグコネクタに連結された複数のケーブルが、リセプタクルコネクタを介して、ソリッド配線基板に接続される（例えば、特許文献１参照。）。
【０００６】
上述の特許文献１に開示されている、従来提案されているプラグコネクタ(100) 及びリセプタクルコネクタ(202) にあっては、プラグコネクタが備える絶縁ハウジング（プラグハウジング107)の全体が、ソリッド配線基板（基板P)との電気的接続がなされたリセプタクルコネクタが備えるリセプタクル側絶縁ハウジング（リセプタクルハウジング207)に設けられた嵌合凹部(203) に挿入される。リセプタクル側絶縁ハウジングにおける嵌合凹部形成部にあっては、その一部分において、配列配置された複数のリセプタクル側導電コンタクト（リセ側端子221)が嵌合凹部内に露出しており、斯かる一部分に対向する他の部分には、切欠き部（開放孔232)が形成されている。また、プラグコネクタが備える絶縁ハウジングの一側面部形成部において、プラグコネクタが備える絶縁ハウジングがリセプタクル側絶縁ハウジングに設けられた嵌合凹部に挿入されるとき、複数のリセプタクル側導電コンタクトに夫々接触接続される複数の導電コンタクト（プラグ側端子121)が露出している。そして、プラグコネクタには、各々の信号導体が複数の導電コンタクトのうちの対応するものに接続されるとともに、各々のグラウンド導体がグラウンド部（良導体119)に接続される複数のケーブル（同軸ケーブルC)が連結されている。
【０００７】
このようなもとで、複数のケーブルが連結されたプラグコネクタが、それが備える絶縁ハウジングがリセプタクル側絶縁ハウジングに設けられた嵌合凹部に挿入される状態におかれるときには、当該嵌合凹部内において、プラグコネクタが備える複数の導電コンタクトが複数のリセプタクル側導電コンタクトに夫々接触接続されるとともに、プラグコネクタが備えるグラウンド部が、リセプタクル側絶縁ハウジングに配されたリセプタクル側グラウンド部（金属板209)に接触接続される。また、このとき、プラグコネクタに連結された複数のケーブルが、リセプタクル側絶縁ハウジングに形成された切欠き部内に収められる。
【先行技術文献】
【特許文献】
【０００８】
【特許文献１】特開２００６−３４４５２４号公報（第６〜１０頁、図１〜５）
【発明の概要】
【発明が解決しようとする課題】
【０００９】
上述のように、例えば、複数のケーブルが連結されたプラグコネクタが備える絶縁ハウジングが、ソリッド配線基板との電気的接続がなされたリセプタクルコネクタが備えるリセプタクル側絶縁ハウジングに設けられた嵌合凹部に挿入される状態におかれる、従来提案されているプラグコネクタ及びリセプタクルコネクタにあっては、プラグコネクタが備える絶縁ハウジングが、リセプタクル側絶縁ハウジングの嵌合凹部形成部における複数のリセプタクル側導電コンタクトの配列方向に直交する方向において、リセプタクル側絶縁ハウジングに設けられた嵌合凹部に対して傾斜した状態をもって、当該嵌合凹部に差し込まれる状態におかれることが多い。例えば、プラグコネクタが備える絶縁ハウジングが、リセプタクル側絶縁ハウジングに設けられた嵌合凹部に対して、複数のリセプタクル側導電コンタクトに夫々接触接続される複数の導電コンタクトが配列配置されて露出する側面部形成部の嵌合凹部からの離隔距離が、当該側面部形成部に対向する複数のケーブルが導出される他の側面部形成部からの離隔距離より大となるように、傾斜した状態をもって、嵌合凹部に差し込まれる事態が生じ易いのである。
【００１０】
斯かるプラグコネクタが備える絶縁ハウジングが、リセプタクル側絶縁ハウジングに設けられた嵌合凹部に対して傾斜する事態の発生は、複数のケーブルが連結されたプラグコネクタが、それが備える絶縁ハウジングがリセプタクル側絶縁ハウジングに設けられた嵌合凹部に挿入される状態におかれるとき、プラグコネクタに連結された複数のケーブルが、リセプタクル側絶縁ハウジングに形成された切欠き部内に収められることも、その一因をなしている。即ち、複数のケーブルが連結されたプラグコネクタを、それが備える絶縁ハウジングがリセプタクル側絶縁ハウジングに設けられた嵌合凹部を挿入するにあたっては、先ず、プラグコネクタに連結された複数のケーブルをリセプタクル側絶縁ハウジングに形成された切欠き部内に収め、次に、それにより嵌合凹部に対して傾斜させたプラグコネクタが備える絶縁ハウジングを、リセプタクル側絶縁ハウジングに設けられた嵌合凹部に挿入する、という手順が、他の手順に比して作業性が良いことからして、しばしばとられるのである。
【００１１】
このように、プラグコネクタが備える絶縁ハウジングが、リセプタクル側絶縁ハウジングの嵌合凹部形成部における複数のリセプタクル側導電コンタクトの配列方向に直交する方向において、リセプタクル側絶縁ハウジングに設けられた嵌合凹部に対して傾斜した状態をもって当該嵌合凹部に差し込まれるときには、例えば、プラグコネクタが備える絶縁ハウジングにおける複数の導電コンタクトが露出する側面部形成部が、リセプタクル側絶縁ハウジングにおける複数のリセプタクル側導電コンタクトが露出する嵌合凹部形成部との摺動を生じる。斯かる摺動が生じると、それにより、プラグコネクタが備える絶縁ハウジングにおける複数の導電コンタクトが配列配置されて露出する側面部形成部の磨滅あるいは変形が発生することになる。
【００１２】
そして、プラグコネクタが備える絶縁ハウジングにおける複数の導電コンタクトが配列配置されて露出する側面部形成部の磨滅あるいは変形は、プラグコネクタが備える絶縁ハウジングにおける複数の導電コンタクトが配列配置されて露出する側面部形成部の、リセプタクル側絶縁ハウジングにおける複数のリセプタクル側導電コンタクトが露出する嵌合凹部形成部に対する適正な位置からの位置ズレをもたらし、その結果、プラグコネクタにおける導電コンタクトが、リセプタクル側導電コンタクトを、プラグコネクタが備える絶縁ハウジングのリセプタクル側絶縁ハウジングにおける嵌合凹部に対する挿入方向に押圧して、リセプタクル側導電コンタクトを押し潰すもしくは座屈させる事態が生じる虞がある。即ち、プラグコネクタが備える絶縁ハウジングにおける複数の導電コンタクトが配列配置されて露出する側面部形成部の磨滅あるいは変形に起因する当該側面部形成部の位置ズレが、リセプタクル側導電コンタクトの不所望な押潰しもしくは座屈を発生させるという不都合をもたらす虞が生じるのである。
【００１３】
斯かる点に鑑み、本願の特許請求の範囲に記載された発明は、複数の導電コンタクトが配列配置された絶縁ハウジングを備え、その絶縁ハウジングの全体もしくはそれに設けられた嵌合凸部が、リセプタクルコネクタに設けられた嵌合凹部に挿入されて、その嵌合凹部内において、複数の導電コンタクトがリセプタクルコネクタに配列配置された複数のリセプタクル側導電コンタクトに夫々接触接続されるプラグコネクタとして機能し、絶縁ハウジングの全体もしくはそれに設けられた嵌合凸部がリセプタクルコネクタに設けられた嵌合凹部に挿入される際に、リセプタクル側導電コンタクトの不所望な押潰しもしくは座屈を発生させるという不都合を回避することができるコネクタ装置を提供する。
【課題を解決するための手段】
【００１４】
本願の特許請求の範囲における請求項１から請求項７までのいずれかに記載された発明（以下、本発明という。）に係るコネクタ装置は、リセプタクルコネクタに設けられた嵌合凹部に挿入されるべく、第１の方向に伸びる嵌合凸部を形成する絶縁ハウジングと、嵌合凸部における側壁面部に配される接触部を有して第１の方向に配列配置され、接触部がリセプタクルコネクタタに配されたリセプタクル側導電コンタクトに接触するものとされる複数の導電コンタクトと、絶縁ハウジングの外面部を部分的に覆う金属製カバーとを備えて成り、金属製カバーが、嵌合凸部が嵌合凹部に挿入される際に、リセプタクルコネクタの嵌合凹部形成部に第１の方向に直交する第２の方向に当接して、嵌合凹部に対する嵌合凸部の挿入案内を行う案内部を有することを特徴とする。
【００１５】
特に、本発明に係るコネクタ装置のうちの請求項２に記載されたものにあっては、金属製カバーが、第１の方向における両端部の夫々の近傍部位を含む複数の部位に配された複数の案内部を有する。
【００１６】
上述のように構成される本発明に係るコネクタ装置にあっては、リセプタクルコネクタに設けられた嵌合凹部に挿入される嵌合凸部を形成する絶縁ハウジングと、絶縁ハウジングの外面部を部分的に覆う金属製カバーとが備えられる。絶縁ハウジングには、それが形成する嵌合凸部における側壁面部に配される接触部を有して、嵌合凸部が伸びる方向に沿って配列配置された複数の導電コンタクトが設けられる。そして、金属製カバーが、絶縁ハウジングが形成する嵌合凸部がリセプタクルコネクタに設けられた嵌合凹部に挿入される際に、リセプタクルコネクタの嵌合凹部形成部に複数の導電コンタクトの配列方向に直交する方向に当接して、嵌合凹部に対する嵌合凸部の挿入案内を行う案内部を有するものとされる。
【００１７】
金属製カバーが有する案内部は、例えば、複数個とされ、それらは、本発明に係るコネクタ装置のうちの請求項２に記載されたもののように、金属製カバーにおける複数の導電コンタクトの配列方向の両端部の夫々の近傍部位を含む複数の部位に配される。
【００１８】
斯かるもとで、絶縁ハウジングが形成する嵌合凸部がリセプタクルコネクタに設けられた嵌合凹部に挿入されるにあたっては、絶縁ハウジングの外面部を部分的に覆う金属製カバーが有する案内部が、リセプタクルコネクタの嵌合凹部形成部に複数の導電コンタクトの配列方向に直交する方向に当接したもとで、絶縁ハウジングの嵌合凹部への挿入に伴って移動し、嵌合凹部に対する嵌合凸部の挿入案内を行う。
【００１９】
そして、絶縁ハウジングが形成する嵌合凸部のリセプタクルコネクタに設けられた嵌合凹部への挿入が完了すると、嵌合凹部内において、絶縁ハウジングに配列配置された複数の導電コンタクトの夫々の接触部が、リセプタクルコネクタの嵌合凹部形成部に配されたリセプタクル側導電コンタクトに接触接続された状態におかれる。
【００２０】
斯かる際、リセプタクルコネクタの嵌合凹部形成部に当接して移動する案内部、即ち、金属製カバーが有する案内部は、金属製とされていることにより、リセプタクルコネクタの嵌合凹部形成部との摺動を生じても、それによる磨滅あるいは変形を殆ど発生しない。
【発明の効果】
【００２１】
上述のような本発明に係るコネクタ装置にあっては、絶縁ハウジングが形成する嵌合凸部がリセプタクルコネクタに設けられた嵌合凹部に挿入されるにあたって、リセプタクルコネクタの嵌合凹部形成部に当接したもとで、絶縁ハウジングの嵌合凹部への挿入に伴って移動し、嵌合凹部に対する嵌合凸部の挿入案内を行う案内部が、金属製カバーが有する金属製のものとされており、斯かる案内部は、リセプタクルコネクタの嵌合凹部形成部との摺動を生じても、それによる磨滅あるいは変形を殆ど発生しない。
【００２２】
従って、本発明に係るコネクタ装置によれば、絶縁ハウジングが形成する嵌合凸部がリセプタクルコネクタに設けられた嵌合凹部に挿入されるとき、嵌合凸部における複数の導電コンタクトの夫々の接触部が配される側壁面部の、リセプタクルコネクタにおけるリセプタクル側導電コンタクトが配された嵌合凹部形成部に対する適正な位置からの位置ズレがもたらされず、例えば、導電コンタクトがリセプタクル側導電コンタクトを絶縁ハウジングの嵌合凹部に対する挿入方向に押圧して、リセプタクル側導電コンタクトを押し潰すもしくは座屈させる事態が生じる虞を回避できることになる。
【００２３】
その結果、絶縁ハウジングが形成する嵌合凸部のリセプタクルコネクタに設けられた嵌合凹部への挿入が完了したとき、嵌合凹部内において、絶縁ハウジングに配列配置された複数の導電コンタクトの夫々の接触部が、リセプタクルコネクタの嵌合凹部形成部に配されたリセプタクル側導電コンタクトに適正に接触接続された状態が得られる。
【００２４】
また、本発明に係るコネクタ装置のうちの請求項２に記載されたものによれば、金属製カバーにおける複数の導電コンタクトの配列方向の両端部の夫々の近傍部位を含む複数の部位に複数の案内部が配されるので、絶縁ハウジングが形成する嵌合凸部がリセプタクルコネクタに設けられた嵌合凹部に挿入される際における、案内部による嵌合凹部に対する嵌合凸部の挿入案内が、より一層円滑かつ確実に行われる。
【図面の簡単な説明】
【００２５】
【図１】本発明に係るコネクタ装置の一例を示す上方から見た斜視図である。
【図２】本発明に係るコネクタ装置の一例を示す下方から見た斜視図である。
【図３】本発明に係るコネクタ装置の一例を示す底面図である。
【図４】本発明に係るコネクタ装置の一例に備えられる導電性シェルを示す斜視図である。
【図５】本発明に係るコネクタ装置の一例を示す上方から見た斜視図である。
【図６】図３における VI-VI線断面を示す断面図である。
【図７】図３における VII-V11線断面をあらわす断面図である。
【図８】本発明に係るコネクタ装置の一例が差込接続されるリセプタクルコネクタの一例を示す斜視図である。
【図９】本発明に係るコネクタ装置の一例が図８に示されるリセプタクルコネクタに差込接続される状態を示す断面図である。
【図１０】本発明に係るコネクタ装置の一例が図８に示されるリセプタクルコネクタに差込接続される状態を示す断面図である。
【図１１】本発明に係るコネクタ装置の一例が図８に示されるリセプタクルコネクタに差込接続された状態を示す断面図である。
【図１２】本発明に係るコネクタ装置の一例が差込接続されるリセプタクルコネクタの他の例を示す斜視図である。
【図１３】本発明に係るコネクタ装置の一例が図１２に示されるリセプタクルコネクタに差込接続された状態を示す断面図である。
【図１４】本発明に係るコネクタ装置の他の例をそれに接続された同軸ケーブルと共に示す断面図である。
【発明を実施するための形態】
【００２６】
本発明を実施するための最良の形態は、以下に述べられる本発明についての実施例をもって説明される。
【実施例１】
【００２７】
図１（上方から見た斜視図），図２（下方から見た斜視図）及び図３（底面図）は、本発明に係るコネクタ装置の一例を示す。
【００２８】
図１〜図３において、本発明に係るコネクタ装置の一例を成すコネクタ装置１１は、例えば、ソリッド配線基板との電気的接続がなされたリセプタクルコネクタに対する差込接続に供されるプラグコネクタとして用いられるものとされており、合成樹脂等の絶縁材料によって形成された絶縁ハウジング１２、及び、外部からの電磁波ノイズ対策のため絶縁ハウジング１２の外面部を部分的に覆うものとされた、金属製カバー１３を備えている。金属製カバー１３は、後述されるリセプタクルコネクタに設けられたリセプタクル側グラウンド接続部に連結される。
【００２９】
絶縁ハウジング１２は、リセプタクルコネクタに設けられた嵌合凹部に挿入されるべく、絶縁ハウジング１２の長手方向に伸びる嵌合凸部１４を形成している。嵌合凸部１４は、絶縁ハウジング１２に外方に突出するものとして形成され、嵌合凸部１４の長手方向に伸びる、当該長手方向に直交する方向において相互対向する対向側壁面部の一方及び他方を成す側壁面部１４ａ及び１４ｂを有している。
【００３０】
絶縁ハウジング１２には、夫々が絶縁ハウジング１２の長手方向に沿って配列配置された複数の導電コンタクト１７と複数の導電コンタクト１８とが設けられている。複数の導電コンタクト１７の夫々は、絶縁ハウジング１２が形成する嵌合凸部１４における側壁面部１４ａに、その外面に露出するものとして配される部分を有しており、また、複数の導電コンタクト１８の夫々は、絶縁ハウジング１２が形成する嵌合凸部１４における側壁面部１４ｂに、その外面に露出するものとして配される部分を有している。
【００３１】
複数の導電コンタクト１７の夫々が有する側壁面部１４ａに露出するものとして配される部分は、リセプタクルコネクタの嵌合凹部形成部に設けられたリセプタクル側導電コンタクトに接触する接触部１７ａ（後述される図６）とされており、また、複数の導電コンタクト１８の夫々が有する側壁面部１４ｂに露出するものとして配される部分は、リセプタクルコネクタの嵌合凹部形成部に設けられたリセプタクル側導電コンタクトに接触する接触部１８ａ（後述される図７）とされている。従って、複数の導電コンタクト１７が夫々有する複数の接触部１７ａが、嵌合凸部１４における側壁面部１４ａに絶縁ハウジング１２の長手方向に沿って配列配置されるとともに、複数の導電コンタクト１８が夫々有する複数の接触部１８ａが、嵌合凸部１４における側壁面部１４ｂに絶縁ハウジング１２の長手方向に沿って配列配置されており、複数の接触部１７ａの配列と複数の接触部１８ａの配列とは、絶縁ハウジング１２の長手方向に直交する方向において相互対向することになる。
【００３２】
このような複数の接触部１７ａを夫々有して配列配置される複数の導電コンタクト１７と複数の接触部１８ａを夫々有して配列配置される複数の導電コンタクト１８とは、予め定められた配置関係のもとにおかれる。即ち、図３に明瞭に示されるように、配列配置される複数の導電コンタクト１７のうちの配列端部に位置するもの以外のものが、配列配置される複数の導電コンタクト１８のうちの相互隣接する２個の間の部位に対向する部位に配置されるのである。それにより、複数の導電コンタクト１７が所定の相互間隔をおいて配列配置されるとともに、複数の導電コンタクト１８が所定の相互間隔をおいて配列配置されることになる。
【００３３】
また、絶縁ハウジング１２には、金属製の導電性シェル２０が一体的に設けられている。導電性シェル２０は、図４に示されるように、絶縁ハウジング１２の長手方向（複数の導電コンタクト１７及び１８の配列方向）に伸びるグラウンド接続部２１，同じく絶縁ハウジング１２の長手方向に伸びる中間グラウンド部２２、及び、グラウンド接続部２１と中間グラウンド部２２とを連結する複数の連結接続部２３とが一体形成されて成るものとされる。複数の連結接続部２３は、リセプタクルコネクタの嵌合凹部形成部にリセプタクル側グラウンド接触部が設けられている場合には、そのリセプタクル側グラウンド接触部に接触するグラウンド接触部としての役割を果たす。
【００３４】
グラウンド接続部２１もしくは連結接続部２３には、絶縁ハウジング１２が形成する嵌合凸部１４がリセプタクルコネクタに設けられた嵌合凹部に挿入されるとき、グラウンド電位が与えられる。そして、グラウンド接続部２１もしくは連結接続部２３にグラウンド電位が与えられたもとでは、中間グラウンド部２２を含んだ導電性シェル２０の全体に、グラウンド電位が伝えられる。
【００３５】
斯かる導電性シェル２０は、絶縁ハウジング１２と一体化されるにあたり、絶縁ハウジング１２における嵌合凸部１４にインサート成形により埋め込まれる部分を有するものとされ、斯かる、絶縁ハウジング１２における嵌合凸部１４にインサート成形により埋め込まれる部分には、中間グラウンド部２２も含まれる。それにより、絶縁ハウジング１２が、それにインサート成形により埋め込まれる部分を有した導電性シェル２０によって補強されることになり、コネクタ装置１１の機械的強度が高められる。
【００３６】
そして、絶縁ハウジング１２における嵌合凸部１４に埋め込まれた中間グラウンド部２２は、嵌合凸部１４における側壁面部１４ａに配列配置される複数の導電コンタクト１７における接触部１７ａの配列と嵌合凸部１４における側壁面部１４ｂに配列配置される複数の導電コンタクト１８における接触部１８ａの配列との間に、これらの配列に沿って、即ち、絶縁ハウジング１２の長手方向に沿って配されることになる位置におかれる。それにより、複数の導電コンタクト１７における接触部１７ａの配列と複数の導電コンタクト１８における接触部１８ａの配列とは、導電性シェル２０における中間グラウンド部２２を挟んで、絶縁ハウジング１２の長手方向に直交する方向において相互対向することになる。
【００３７】
また、導電性シェル２０における複数の連結接続部２３の夫々は、配列配置される複数の導電コンタクト１７のうちの相互隣接する２個の間に配される。図３にあっては、導電コンタクト１７の２個置きに連結接続部２３が配される状態とされているが、導電コンタクト１７の一つ置きに連結接続部２３が配される状態、即ち、複数の導電コンタクト１７と複数の連結接続部２３とが交互に配される状態、あるいは、導電コンタクト１７の３個以上置きに連結接続部２３が配される状態とされてもよい。
【００３８】
そして、複数の導電コンタクト１７のうちの相互隣接する２個の間に配される複数の連結接続部２３の夫々は、絶縁ハウジング１２が形成する嵌合凸部１４における側壁面部１４ａに露出するものとして配される部分を有するものとされる。それにより、絶縁ハウジング１２が形成する嵌合凸部１４における側壁面部１４ａにおいては、複数の導電コンタクト１７における接触部１７ａと複数の連結接続部２３における部分とが配列配置される状態がとられる。
【００３９】
金属製の金属製カバー１３は、図１及び図５に明瞭に示されるように、絶縁ハウジング１２の長手方向の両端部１２ａ及び１２ｂを除いた部分における嵌合凸部１４を形成している部分とは反対側の部分（図１及び図５における上側部分）の外面部を全面的に覆っている。また、金属製カバー１３の絶縁ハウジング１２の長手方向における両端部は、後述されるリセプタクルコネクタのリセプタクル側導電性シェルに嵌合連結される係合部１３ａを形成している。そして、金属製カバー１３は、図５に明瞭に示されているように、絶縁ハウジング１２の長手方向における両端部の夫々の近傍部位及び絶縁ハウジング１２の長手方向における中央部位に配された３個の案内部１３ｂを有している。さらに、金属製カバー１３には、３個の切欠き孔１３ｃが形成されている。
【００４０】
３個の案内部１３ｂの夫々は、金属製カバー１３における他の部分と一体的に形成されていて、絶縁ハウジング１２が形成する嵌合凸部１４における側壁面部１４ｂに沿って、嵌合凸部１４の突出方向に伸びている。そして、各案内部１３ｂは、後述されるように、絶縁ハウジング１２が形成する嵌合凸部１４が、リセプタクルコネクタに設けられた嵌合凹部に挿入される際に、リセプタクルコネクタの嵌合凹部形成部に当接して、当該嵌合部に対する嵌合凸部１４の挿入案内を行う役割を果たす。
【００４１】
このようなコネクタ装置１１にあっては、複数の同軸ケーブル２５が接続される。これらの同軸ケーブル２５は、絶縁ハウジング１２の長手方向に並べられて全体として板状体を成すものとされ、それらのうちの一つ置きのものが複数の導電コンタクト１７に夫々連結されるとともに、他の一つ置きのものが複数の導電コンタクト１８に夫々連結される。
【００４２】
複数の同軸ケーブル２５の一つ置きのものの夫々と導電コンタクト１７との連結は、図３におけるVI−VI線断面をあらわす図６に示されるように、同軸ケーブル２５の信号導体２６が、絶縁ハウジング１２に配された導電コンタクト１７に接続されるとともに、同軸ケーブル２５のグラウンド導体２７が、絶縁ハウジング１２の長手方向に伸びる細板状のグラウンド連結部材２８及び２９を介して、導電性シェル２０のグラウンド接続部２１に接続されることにより行われる。同様に、複数の同軸ケーブル２５の他の一つ置きのものの夫々と導電コンタクト１８との連結は、図３における VII−VII 線断面をあらわす図７に示されるように、同軸ケーブル２５の信号導体２６が、絶縁ハウジング１２に配された導電コンタクト１８に接続されるとともに、同軸ケーブル２５のグラウンド導体２７が、絶縁ハウジング１２の長手方向に伸びる細板状のグラウンド連結部材２８及び２９を介して、導電性シェル２０のグラウンド接続部２１に接続されることにより行われる。
【００４３】
グラウンド連結部材２８に対しては、金属製カバー１３に設けられた３個の切欠き孔１３ｃの夫々において溶融半田が流し込まれることによる半田付けがなされ、それにより、グラウンド連結部材２８が、金属製カバー１３に半田付けされ、金属製カバー１３との電気的接続がなされた状態におかれる。
【００４４】
このようにして、複数の導電コンタクト１７には複数の同軸ケーブル２５の一つ置きのものを通じた信号が供給され、また、複数の導電コンタクト１８には複数の同軸ケーブル２５の他の一つ置きのものを通じた信号が供給される。その際、絶縁ハウジング１２における嵌合凸部１４に埋め込まれた中間グラウンド部２２が、複数の導電コンタクト１７における接触部１７ａの配列と複数の導電コンタクト１８における接触部１８ａの配列との間に絶縁ハウジング１２の長手方向に沿って配され、それにより、複数の導電コンタクト１７における接触部１７ａの配列と複数の導電コンタクト１８における接触部１８ａの配列とは、導電性シェル２０における中間グラウンド部２２を挟んで、絶縁ハウジング１２の長手方向に直交する方向において相互対向することになる。従って、導電性シェル２０にグラウンド電位が与えられるもとにおいては、複数の導電コンタクト１７の夫々と複数の導電コンタクト１８の夫々との間における信号クロストークの発生が、中間グラウンド部２２を含んで一体形成された導電性シェル２０により、部品点数の増加をまねかず、かつ、プラグコネクタとしての組立て性の悪化をもたらすことなく、確実に防止される。
【００４５】
図６には、導電コンタクト１７の接触部１７ａが、絶縁ハウジング１２が形成する嵌合凸部１４における側壁面部１４ａに、その外面に露出するものとして配されている様子，導電性シェル２０の中間グラウンド部２２が嵌合凸部１４に埋め込まれている様子，金属製カバー１３により絶縁ハウジング１２が部分的に覆われている様子、さらには、金属製カバー１３にグラウンド連結部材２８が半田３０により連結されて半田付けされている様子が示されている。また、図７には、導電コンタクト１８の接触部１８ａが、絶縁ハウジング１２が形成する嵌合凸部１４における側壁面部１４ｂに、その外面に露出するものとして配されている様子，導電性シェル２０の中間グラウンド部２２が嵌合凸部１４に埋め込まれているとともに、導電性シェル２０の連結接続部２３が、嵌合凸部１４における側壁面部１４ａに、その外面に露出するものとして配されている様子，金属製カバー１３により絶縁ハウジング１２が部分的に覆われている様子、さらには、金属製カバー１３にグラウンド連結部材２８が半田３０により連結されて半田付けされている様子が示されている。
【００４６】
図８は、上述のコネクタ装置１１が差込接続されるリセプタクルコネクタの一例を成すリセプタクルコネクタ３１を示す。
【００４７】
図８において、リセプタクルコネクタ３１は、例えば、ソリッド配線基板（図示省略）に、それに設けられた電気回路構成部との電気的接続がなされて取り付けられるものとされ、合成樹脂等の絶縁材料によって形成されたリセプタクル側絶縁ハウジング３２、及び、外部からの電磁波ノイズ対策のためリセプタクル側絶縁ハウジング３２の外面部を部分的に覆うものとされた、金属製のリセプタクル側導電性シェル３３を備えている。リセプタクル側絶縁ハウジング３２及びリセプタクル側導電性シェル３３は、コネクタ装置１１における絶縁ハウジング１２が形成する嵌合凸部１４が挿入される、リセプタクル側絶縁ハウジング３２の長手方向に伸びる嵌合凹部３４を形成している。
【００４８】
リセプタクル側絶縁ハウジング３２及びリセプタクル側導電性シェル３３における嵌合凹部３４を形成する部分、即ち、リセプタクルコネクタ３１の嵌合凹部形成部分には、コネクタ装置１１の複数の導電コンタクト１７における接触部１７ａが夫々接触することになる複数のリセプタクル側導電コンタクト３５が、リセプタクル側絶縁ハウジング３２の長手方向に沿って配列配置されているとともに、コネクタ装置１１の複数の導電コンタクト１８における接触部１８ａが夫々接触することになる複数のリセプタクル側導電コンタクト３６も、リセプタクル側絶縁ハウジング３２の長手方向に沿って配列配置されている。そして、配列配置される複数のリセプタクル側導電コンタクト３５のうちの配列端部に位置するもの以外のものが、配列配置される複数のリセプタクル側導電コンタクト３６のうちの相互隣接する２個の間の部位に対向する部位に配置される。それにより、複数のリセプタクル側導電コンタクト３５が所定の相互間隔をおいて配列配置されるとともに、複数のリセプタクル側導電コンタクト３６が所定の相互間隔をおいて配列配置されることになり、複数のリセプタクル側導電コンタクト３５の配列と複数のリセプタクル側導電コンタクト３６の配列とは、リセプタクル側絶縁ハウジング３２の長手方向に直交する方向において相互対向する。
【００４９】
複数のリセプタクル側導電コンタクト３５の夫々は、リセプタクルコネクタ３１が取り付けられたソリッド配線基板に設けられた電気回路構成部に接続される接続端子３５ａを有しており、同様に、複数のリセプタクル側導電コンタクト３６の夫々は、リセプタクルコネクタ３１が取り付けられたソリッド配線基板に設けられた電気回路構成部に接続される接続端子３６ａ（図９及び図１０に示される。）を有している。
【００５０】
リセプタクル側導電性シェル３３は、リセプタクル側絶縁ハウジング３２における嵌合凹部３４の周囲となる部分を部分的に覆っている。そして、リセプタクル側導電性シェル３３には、複数のリセプタクル側導電コンタクト３６の配列側の部分に、各々が嵌合凹部３４内にまで伸びるものとされて、リセプタクル側絶縁ハウジング３２の長手方向に沿って配列配置される複数のリセプタクル側グラウンド接触部３７が形成されている。また、リセプタクル側導電性シェル３３には、そのリセプタクル側絶縁ハウジング３２の長手方向における両端部に、コネクタ装置１１の金属製カバー１３における係合部１３ａが嵌合連結されるリセプタクル側グラウンド接続部３８が形成されている。さらに、リセプタクル側導電性シェル３３におけるリセプタクル側絶縁ハウジング３２の長手方向における両端部には、リセプタクルコネクタ３１が取り付けられたソリッド配線基板に設けられたグラウンド電位部に、例えば、半田付けにより接続されるグラウンド接続端子部３９も設けられている。
【００５１】
リセプタクル側絶縁ハウジング３２における嵌合凹部３４の周囲となる部分のうちの複数のリセプタクル側導電コンタクト３５の配列側の部分は、リセプタクル側導電性シェル３３に覆われることなく、リセプタクル側絶縁ハウジング３２における嵌合凹部３４の周囲となる部分のうちの複数のリセプタクル側導電コンタクト３６の配列側の部分より低くされた低背部を形成している。そして、複数の同軸ケーブル２５が接続されたコネクタ装置１１が備える絶縁ハウジング１２が形成する嵌合凸部１４が嵌合凹部３４に挿入されるとき、コネクタ装置１１における、複数の同軸ケーブル２５を支持する状態におかれた導電性シェル２０のグラウンド接続部２１を含む部分が、当該低背部に収められる。
【００５２】
上述のようなリセプタクルコネクタ３１に、複数の同軸ケーブル２５が接続されたコネクタ装置１１が差込接続されるときには、図９及び図１０に示されるようにして、コネクタ装置１１の絶縁ハウジング１２が形成する嵌合凸部１４が、リセプタクルコネクタ３１のリセプタクル側絶縁ハウジング３２及びリセプタクル側導電性シェル３３が形成する嵌合凹部３４に挿入される。
【００５３】
斯かる際には、図９に示されるように、コネクタ装置１１の金属製カバー１３が有する３個の案内部１３ｂの夫々が、リセプタクルコネクタ３１の嵌合凹部形成部分を構成するリセプタクル側導電性シェル３３における接触部４０に当接する。リセプタクル側導電性シェル３３における接触部４０は、コネクタ装置１１の絶縁ハウジング１２が形成する嵌合凸部１４がリセプタクルコネクタ３１のリセプタクル側絶縁ハウジング３２及びリセプタクル側導電性シェル３３が形成する嵌合凹部３４に挿入されるとき３個の案内部１３ｂに対応する部位、即ち、導電性シェル３３におけるリセプタクル側絶縁ハウジング３２の長手方向における両端部の夫々の近傍部位及びリセプタクル側絶縁ハウジング３２の長手方向における中央部位に配される。
【００５４】
それとともに、図１０に示されるように、複数の同軸ケーブル２５の信号導体２６が夫々接続された複数の導電コンタクト１７における接触部１７ａ（図１０には現れていない。）が、複数のリセプタクル側導電コンタクト３５に夫々当接するとともに、複数の同軸ケーブル２５の信号導体２６が夫々接続された複数の導電コンタクト１８における接触部１８ａが、複数のリセプタクル側導電コンタクト３６に夫々当接する。
【００５５】
そして、リセプタクルコネクタ３１のリセプタクル側導電性シェル３３における接触部４０に当接したコネクタ装置１１の金属製カバー１３が有する案内部１３ｂは、コネクタ装置１１における嵌合凸部１４のリセプタクルコネクタ３１における嵌合凹部３４への挿入方向への移動に伴って、接触部４０に対する摺動を生じつつ移動し、嵌合凹部３４に対する嵌合凸部１４の挿入案内を行う。それにより、コネクタ装置１１における嵌合凸部１４のリセプタクルコネクタ３１における嵌合凹部３４への挿入が円滑に行われる。
【００５６】
斯かる際、リセプタクルコネクタ３１のリセプタクル側導電性シェル３３における接触部４０に当接したもとで、嵌合凸部１４の嵌合凹部３４への挿入方向への移動に伴って移動し、嵌合凹部３４に対する嵌合凸部１４の挿入案内を行う案内部１３ｂは、金属製カバー１３が有する金属製のものとされているので、接触部４０との摺動を生じても、それによる磨滅あるいは変形を殆ど発生しない。
【００５７】
従って、嵌合凸部１４が嵌合凹部３４に挿入されるとき、嵌合凸部１４における複数の導電コンタクト１７の接触部１７ａが配される側壁面部１４ａの、リセプタクルコネクタ３１におけるリセプタクル側導電コンタクト３５が配された嵌合凹部形成部に対する適正な位置からの位置ズレ、及び、嵌合凸部１４における複数の導電コンタクト１８の接触部１８ａが配される側壁面部１４ｂの、リセプタクルコネクタ３１におけるリセプタクル側導電コンタクト３６が配された嵌合凹部形成部に対する適正な位置からの位置ズレがもたらされず、例えば、導電コンタクト１７がリセプタクル側導電コンタクト３５を嵌合凹部３４に対する嵌合凸部１４の挿入方向に押圧して、リセプタクル側導電コンタクト３５を押し潰すもしくは座屈させる事態、あるいは、導電コンタクト１８がリセプタクル側導電コンタクト３６を嵌合凹部３４に対する嵌合凸部１４の挿入方向に押圧して、リセプタクル側導電コンタクト３６を押し潰すもしくは座屈させる事態が生じる虞を回避できることになる。
【００５８】
そして、コネクタ装置１１における嵌合凸部１４のリセプタクルコネクタ３１における嵌合凹部３４への挿入が完了したときには、図１１に示されるように、複数の同軸ケーブル２５の信号導体２６が夫々接続された複数の導電コンタクト１７における接触部１７ａ（図１１には現れていない。）が、複数のリセプタクル側導電コンタクト３５に夫々接触接続されるとともに、複数の同軸ケーブル２５の信号導体２６が夫々接続された複数の導電コンタクト１８における接触部１８ａが、複数のリセプタクル側導電コンタクト３６に夫々接触接続される。また、コネクタ装置１１の導電性シェル２０におけるグラウンド接続部２１に、リセプタクルコネクタ３１のリセプタクル側導電性シェル３３，コネクタ装置１１の金属製カバー１３，グラウンド連結部材２８，複数の同軸ケーブル２５のグラウンド導体２７及びグラウンド連結部材２９を介して、リセプタクルコネクタ３１が取り付けられたソリッド配線基板からのグラウンド電位が伝えられる。それにより、中間グラウンド部２２を有した導電性シェル２０の全体がグラウンド電位に保たれる。
【００５９】
それにより、中間グラウンド部２２を有した導電性シェル２０の全体がグラウンド電位に保たれたもとで、複数の同軸ケーブル２５のうちの一つ置きのものの信号導体２６を通じた信号が、コネクタ装置１１における複数の導電コンタクト１７及びリセプタクルコネクタ３１における複数のリセプタクル側導電コンタクト３５を介して、リセプタクルコネクタ３１が取り付けられたソリッド配線基板に設けられた電気回路構成部に供給され、また、複数の同軸ケーブル２５のうちの他の一つ置きのものの信号導体２６を通じた信号が、コネクタ装置１１における複数の導電コンタクト１８及びリセプタクルコネクタ３１における複数のリセプタクル側導電コンタクト３６を介して、リセプタクルコネクタ３１が取り付けられたソリッド配線基板に設けられた電気回路構成部に供給される。
【００６０】
図１２は、コネクタ装置１１が差込接続されるリセプタクルコネクタの他の例を成すリセプタクルコネクタ４１を示す。
【００６１】
図１２において、リセプタクルコネクタ４１は、例えば、ソリッド配線基板（図示省略）に、それに設けられた電気回路構成部との電気的接続がなされて取り付けられるものとされ、合成樹脂等の絶縁材料によって形成されたリセプタクル側絶縁ハウジング４２、及び、外部からの電磁波ノイズ対策のためリセプタクル側絶縁ハウジング４２の外面部を部分的に覆うものとされた、金属製のリセプタクル側導電性シェル４３を備えている。リセプタクル側絶縁ハウジング４２及びリセプタクル側導電性シェル４３は、コネクタ装置１１における絶縁ハウジング１２が形成する嵌合凸部１４が挿入される、リセプタクル側絶縁ハウジング４２の長手方向に伸びる嵌合凹部４４を形成している。
【００６２】
リセプタクル側絶縁ハウジング４２及びリセプタクル側導電性シェル４３における嵌合凹部４４を形成する部分、即ち、リセプタクルコネクタ４１の嵌合凹部形成部分には、コネクタ装置１１における複数の導電コンタクト１７における接触部１７ａが夫々接触することになる複数のリセプタクル側導電コンタクト４５が、リセプタクル側絶縁ハウジング４２の長手方向に沿って配列配置されているとともに、コネクタ装置１１における複数の導電コンタクト１８における接触部１８ａが夫々接触することになる複数のリセプタクル側導電コンタクト４６も、リセプタクル側絶縁ハウジング４２の長手方向に沿って配列配置されている。そして、配列配置される複数のリセプタクル側導電コンタクト４５のうちの配列端部に位置するもの以外のものが、配列配置される複数のリセプタクル側導電コンタクト４６のうちの相互隣接する２個の間の部位に対向する部位に配置される。それにより、複数のリセプタクル側導電コンタクト４５が所定の相互間隔をおいて配列配置されるとともに、複数のリセプタクル側導電コンタクト４６が所定の相互間隔をおいて配列配置されることになり、複数のリセプタクル側導電コンタクト４５の配列と複数のリセプタクル側導電コンタクト４６の配列とは、リセプタクル側絶縁ハウジング４２の長手方向に直交する方向において相互対向する。
【００６３】
複数のリセプタクル側導電コンタクト４５の夫々は、リセプタクルコネクタ４１が取り付けられたソリッド配線基板に設けられた電気回路構成部に接続される接続端子４５ａを有しており、同様に、複数のリセプタクル側導電コンタクト４６の夫々は、リセプタクルコネクタ４１が取り付けられたソリッド配線基板に設けられた電気回路構成部に接続される接続端子４６ａ（図１３に示される。）を有している。
【００６４】
リセプタクル側導電性シェル４３は、リセプタクル側絶縁ハウジング４２における嵌合凹部４４の周囲となる部分を略全体的に覆っている。そして、リセプタクル側導電性シェル４３には、複数のリセプタクル側導電コンタクト４５の配列側の部分に、各々が嵌合凹部４４内にまで伸びるものとされて、リセプタクル側絶縁ハウジング４２の長手方向に沿って配列配置される複数のリセプタクル側グラウンド接触部４７が形成されているとともに、複数のリセプタクル側導電コンタクト４６の配列側の部分に、各々が嵌合凹部４４内にまで伸びるものとされて、リセプタクル側絶縁ハウジング４２の長手方向に沿って配列配置される複数のリセプタクル側グラウンド接触部４８が形成されている。
【００６５】
また、リセプタクル側導電性シェル４３には、そのリセプタクル側絶縁ハウジング４２の長手方向における両端部に、コネクタ装置１１の金属製カバー１３における係合部１３ａが嵌合連結されるリセプタクル側グラウンド接続部４９が形成されている。さらに、リセプタクル側導電性シェル４３におけるリセプタクル側絶縁ハウジング４２の長手方向における両端部には、リセプタクルコネクタ４１が取り付けられたソリッド配線基板に設けられたグラウンド電位部に、例えば、半田付けにより接続されるグラウンド接続端子部５０も設けられている。
【００６６】
リセプタクル側絶縁ハウジング４２における嵌合凹部４４の周囲となる部分のうちの複数のリセプタクル側導電コンタクト４５の配列側の部分は、リセプタクル側導電性シェル４３に覆われて、リセプタクル側絶縁ハウジング４２における嵌合凹部４４の周囲となる部分のうちの複数のリセプタクル側導電コンタクト４６の配列側の部分より低くされた低背部を形成している。そして、複数の同軸ケーブル２５が接続されたコネクタ装置１１が備える絶縁ハウジング１２が形成する嵌合凸部１４が嵌合凹部４４に挿入されるとき、コネクタ装置１１における、複数の同軸ケーブル２５を支持する状態におかれた導電性シェル２０のグラウンド接続部２１を含む部分が、当該低背部に収められる。
【００６７】
上述のようなリセプタクルコネクタ４１に、複数の同軸ケーブル２５が接続されたコネクタ装置１１が差込接続されるときには、コネクタ装置１１の絶縁ハウジング１２が形成する嵌合凸部１４が、リセプタクルコネクタ４１のリセプタクル側絶縁ハウジング４２及びリセプタクル側導電性シェル４３が形成する嵌合凹部４４に挿入される。
【００６８】
斯かる際には、前述のリセプタクルコネクタ３１に複数の同軸ケーブル２５が接続されたコネクタ装置１１が差込接続されるときと同様に、コネクタ装置１１の金属製カバー１３が有する３個の案内部１３ｂの夫々が、リセプタクルコネクタ４１の嵌合凹部形成部を構成するリセプタクル側導電性シェル４３における接触部５１に当接する。リセプタクル側導電性シェル４３における接触部５１は、コネクタ装置１１の絶縁ハウジング１２が形成する嵌合凸部１４がリセプタクルコネクタ４１のリセプタクル側絶縁ハウジング４２及びリセプタクル側導電性シェル４３が形成する嵌合凹部４４に挿入されるとき３個の案内部１３ｂに対応する部位、即ち、リセプタクル側導電性シェル４３におけるリセプタクル側絶縁ハウジング４２の長手方向における両端部の夫々の近傍部位及びリセプタクル側絶縁ハウジング４２の長手方向における中央部位に配される。
【００６９】
それとともに、複数の同軸ケーブル２５の信号導体２６が夫々接続された複数の導電コンタクト１７における接触部１７ａが、複数のリセプタクル側導電コンタクト４５に夫々当接するとともに、複数の同軸ケーブル２５の信号導体２６が夫々接続された複数の導電コンタクト１８における接触部１８ａが、複数のリセプタクル側導電コンタクト４６に夫々当接する。
【００７０】
そして、リセプタクルコネクタ４１のリセプタクル側導電性シェル４３における接触部５１に当接したコネクタ装置１１の金属製カバー１３が有する案内部１３ｂは、コネクタ装置１１における嵌合凸部１４のリセプタクルコネクタ４１における嵌合凹部４４への挿入方向への移動に伴って、接触部５１に対する摺動を生じつつ移動し、嵌合凹部４４に対する嵌合凸部１４の挿入案内を行う。それにより、コネクタ装置１１における嵌合凸部１４のリセプタクルコネクタ４１における嵌合凹部４４への挿入が円滑に行われる。
【００７１】
斯かる際、リセプタクルコネクタ４１のリセプタクル側導電性シェル４３における接触部５１に当接したもとで、嵌合凸部１４の嵌合凹部４４への挿入方向への移動に伴って移動し、嵌合凹部４４に対する嵌合凸部１４の挿入案内を行う案内部１３ｂは、金属製カバー１３が有する金属製のものとされているので、接触部５１との摺動を生じても、それによる磨滅あるいは変形を殆ど発生しない。
【００７２】
従って、嵌合凸部１４が嵌合凹部４４に挿入されるとき、嵌合凸部１４における複数の導電コンタクト１７の接触部１７ａが配される側壁面部１４ａの、リセプタクルコネクタ４１におけるリセプタクル側導電コンタクト４５が配された嵌合凹部形成部に対する適正な位置からの位置ズレ、及び、嵌合凸部１４における複数の導電コンタクト１８の接触部１８ａが配される側壁面部１４ｂの、リセプタクルコネクタ４１におけるリセプタクル側導電コンタクト４６が配された嵌合凹部形成部に対する適正な位置からの位置ズレがもたらされず、例えば、導電コンタクト１７がリセプタクル側導電コンタクト４５を嵌合凹部４４に対する嵌合凸部１４の挿入方向に押圧して、リセプタクル側導電コンタクト４５を押し潰すもしくは座屈させる事態、あるいは、導電コンタクト１８がリセプタクル側導電コンタクト４６を嵌合凹部４４に対する嵌合凸部１４の挿入方向に押圧して、リセプタクル側導電コンタクト４６を押し潰すもしくは座屈させる事態が生じる虞を回避できることになる。
【００７３】
そして、コネクタ装置１１における嵌合凸部１４のリセプタクルコネクタ４１における嵌合凹部４４への挿入が完了したときには、図１３に示されるように、複数の同軸ケーブル２５の信号導体２６が夫々接続された複数の導電コンタクト１７における接触部１７ａ（図１３には現れていない。）が、複数のリセプタクル側導電コンタクト４５に夫々接触接続されるとともに、複数の同軸ケーブル２５の信号導体２６が夫々接続された複数の導電コンタクト１８における接触部１８ａが、複数のリセプタクル側導電コンタクト４６に夫々接触接続される。また、複数の同軸ケーブル２５のグラウンド導体２７がグラウンド連結部材２８及び２９を介してグラウンド接続部２１に接続された導電性シェル２０における複数の連結接続部２３が、複数のリセプタクル側グラウンド接触部４７に接触する。さらに、コネクタ装置１１における金属製カバー１３が、複数のリセプタクル側グラウンド接触部４８に接触する。
【００７４】
それにより、複数の同軸ケーブル２５のうちの一つ置きのものの信号導体２６を通じた信号が、コネクタ装置１１における複数の導電コンタクト１７及びリセプタクルコネクタ４１における複数のリセプタクル側導電コンタクト４５を介して、リセプタクルコネクタ４１が取り付けられたソリッド配線基板に設けられた電気回路構成部に供給され、また、複数の同軸ケーブル２５のうちの他の一つ置きのものの信号導体２６を通じた信号が、コネクタ装置１１における複数の導電コンタクト１８及びリセプタクルコネクタ４１における複数のリセプタクル側導電コンタクト４６を介して、リセプタクルコネクタ４１が取り付けられたソリッド配線基板に設けられた電気回路構成部に供給される。
【００７５】
また、それとともに、コネクタ装置１１におけるグラウンド接続部２１，中間グラウンド部２２及び複数の連結接続部２３が一体形成されて成る導電性シェル２０に、リセプタクルコネクタ４１におけるリセプタクル側グラウンド接触部４７が設けられたリセプタクル側導電性シェル４３を通じて、リセプタクルコネクタ４１が取り付けられたソリッド配線基板からのグラウンド電位が伝えられる。それにより、中間グラウンド部２２を有した導電性シェル２０の全体がグラウンド電位に保たれる。さらに、複数の同軸ケーブル２５の夫々のグラウンド導体２７に、リセプタクルコネクタ４１のリセプタクル側導電性シェル４３，コネクタ装置１１における導電性シェル２０、及び、グラウンド連結部材２９を介して、リセプタクルコネクタ４１が取り付けられたソリッド配線基板からのグラウンド電位が伝えられ。
【実施例２】
【００７６】
図１４は、本発明に係るコネクタ装置の他の例を、それに接続された同軸ケーブルと共に示す。
【００７７】
図１４に示される本発明に係るコネクタ装置の他の例を成すコネクタ装置６１にあっては、図１〜図７に示されるコネクタ装置１１と同様に構成される部分が多々備えられており、図１４においては、図１〜図７に示される各部に対応する部分については、図１〜図７と共通の符号を付して示す。
【００７８】
図１４に示されるコネクタ装置６１は、図１〜図７に示されるコネクタ装置１１から、グラウンド連結部材２９が排除されて得られるものに相当し、複数の同軸ケーブル２５が夫々備える複数のグラウンド導体２７が、グラウンド連結部材２８によって連結されたもとで、導電性シェル２０におけるグラウンド接続部２１に直接的に接続される。その他の構成については、図１〜図７に示されるコネクタ装置１１と同様とされる。
【００７９】
図１４に示されるコネクタ装置６１の場合、複数の同軸ケーブル２５の夫々のグラウンド導体２７が、導電性シェル２０におけるグラウンド接続部２１に直接的に接続されるので、複数の同軸ケーブル２５の夫々について、それに付随するグラウンド回路抵抗が低減され、良好なグラウンド特性が得られる。
【産業上の利用可能性】
【００８０】
以上のような本発明に係るコネクタ装置は、例えば、ソリッド配線基板に取り付けられたリセプタクルコネクタとの差込接続に供されるプラグコネクタとして用いることができ、リセプタクルコネクタに対する差込接続がなされるとき、それに備えられた導電コンタクトがリセプタクルコネクタに備えられたリセプタクル側導電コンタクトを押し潰すもしくは座屈させる事態が生じる虞を回避できるものとして、様々な電子機器等に広く適用され得るものである。
【符号の説明】
【００８１】
１１，６１・・・コネクタ装置，  １２・・・絶縁ハウジング，  １３・・・金属製カバー，  １３ａ・・・係合部，  １３ｂ・・・案内部，  １３ｃ・・・切欠き孔，  １４・・・嵌合凸部，  １４ａ，１４ｂ・・・側壁面部，  １７，１８・・・導電コンタクト，  １７ａ，１８ａ・・・接触部，  ２０・・・導電性シェル，  ２１・・・グラウンド接続部，  ２２・・・中間グラウンド部，  ２３・・・連結接続部，  ２５・・・同軸ケーブル，  ２６・・・信号導体，  ２７・・・グラウンド導体，  ２８，２９・・・グラウンド連結部材，  ３１，４１・・・リセプタクルコネクタ，  ３２，４２・・・リセプタクル側絶縁ハウジング，  ３３，４３・・・リセプタクル側導電性シェル，  ３４，４４・・・嵌合凹部，  ３５，３６，４５，４６・・・リセプタクル側導電コンタクト，  ３７，４７，４８・・・リセプタクル側グラウンド接触部，  ３８，４９・・・リセプタクル側グラウンド接続部，  ３９，５０・・・グラウンド接続端子部，  ４０，５１・・・接触部
【図１】
2010160976.tif 000003
【図２】
2010160976.tif 000004
【図３】
2010160976.tif 000005
【図４】
2010160976.tif 000006
【図５】
2010160976.tif 000007
【図６】
2010160976.tif 000008
【図７】
2010160976.tif 000009
【図８】
2010160976.tif 000010
【図９】
2010160976.tif 000011
【図１０】
2010160976.tif 000012
【図１１】
2010160976.tif 000013
【図１２】
2010160976.tif 000014
【図１３】
2010160976.tif 000015
【図１４】
2010160976.tif 000016